(57)【特許請求の範囲】
【請求項１】
検査対象体に対して予め決められた物理量を測定する測定処理、および当該測定した物理量を予め設定された判別用基準値と比較して当該検査対象体の良否を検査する検査処理を実行する検査装置であって、
当該検査装置に設定されている前記判別用基準値と他の同種の検査装置に設定されている前記判別用基準値とを比較して当該両判別用基準値が一致していないときに、当該両判別用基準値が一致していないとの表示、および少なくとも当該両検査装置のいずれかにおいて当該判別用基準値の設定に誤りがあるとの表示のいずれかを比較の結果として表示部に表示させる比較処理を実行する検査装置。
【請求項２】
前記判別用基準値が設定されたときに前記他の同種の検査装置に当該設定後の判別用基準値を送信し、当該他の同種の検査装置から前記判別用基準値を受信したときに前記比較処理を実行する請求項１記載の検査装置。
【請求項３】
前記判別用基準値が設定されたときに前記他の同種の検査装置に当該設定後の判別用基準値を送信すると共に、当該他の同種の検査装置から前記判別用基準値を受信したときに当該受信した判別用基準値を記憶し、外部装置から比較開始信号を入力したときに前記比較処理を実行する請求項１記載の検査装置。
【請求項４】
外部装置から比較開始信号を入力したときに、当該各検査装置の前記判別用基準値を前記他の同種の検査装置に送信すると共に、当該他の同種の検査装置から前記判別用基準値を受信して、前記比較処理を実行する請求項１記載の検査装置。
【請求項５】
同一の検査対象体に対して同一の物理量を測定する測定処理、および当該測定した物理量を予め設定された共通の判別用基準値と比較して当該検査対象体の良否を検査する検査処理をそれぞれ実行する複数の検査装置と、
当該複数の検査装置による前記検査処理での検査結果に基づいて前記検査対象体の最終的な良否を決定する良否決定処理を実行する処理装置とを備えた良否判別装置であって、
前記複数の検査装置は、当該各検査装置に設定されている前記判別用基準値と他の前記検査装置に設定されている前記判別用基準値とを比較して当該両判別用基準値が一致していないときに、当該両判別用基準値が一致していないとの表示、および少なくとも当該両検査装置のいずれかにおいて当該判別用基準値の設定に誤りがあるとの表示のいずれかを比較の結果として表示部に表示させる比較処理をそれぞれ実行する良否判別装置。
【請求項６】
前記各検査装置は、当該各検査装置の前記判別用基準値が設定されたときに前記他の検査装置に当該設定後の判別用基準値を送信し、当該他の検査装置から前記判別用基準値を受信したときに前記比較処理を実行する請求項５記載の良否判別装置。
【請求項７】
前記各検査装置は、当該各検査装置の前記判別用基準値が設定されたときに前記他の検査装置に当該設定後の判別用基準値を送信すると共に、当該他の検査装置から前記判別用基準値を受信したときに当該受信した判別用基準値を記憶し、前記処理装置から比較開始信号を入力したときに前記比較処理を実行する請求項５記載の良否判別装置。
【請求項８】
前記各検査装置は、前記処理装置から比較開始信号を入力したときに、当該各検査装置の前記判別用基準値を前記他の検査装置に送信すると共に、当該他の検査装置から前記判別用基準値を受信して、前記比較処理を実行する請求項５記載の良否判別装置。
【発明の詳細な説明】
【技術分野】
【０００１】
本発明は、搬送されてくる製品に対して他の同種の検査装置と共に同一の検査処理を実行する検査装置、およびこの検査装置を複数備えることでこの製品に対して二重チェックを実行してその良否を判別する良否判別装置に関するものである。
【背景技術】
【０００２】
搬送されてくる製品に対して検査処理を実行して、この製品の良否を判別する良否判別装置として、下記の特許文献１に開示されているコンデンサの特性選別装置が知られている。この特性選別装置は、コンデンサを１個ずつ保持できる凹状の保持部が外周部に設けられ、間欠的に回転駆動されるターンテーブルを備えると共に、コンデンサをターンテーブルの保持部へ供給する供給部、ターンテーブルに保持されているコンデンサのインピーダンスを測定するインピーダンス測定部、不良品排出部、および良品取出部等がターンテーブルの周囲に設けられて構成されている。また、特性選別装置は、良否判定部を備えている。
【０００３】
この特性選別装置では、供給部によってターンテーブルの保持部へ供給されたコンデンサに対して、インピーダンス測定部がそのインピーダンスを測定してその測定値を良否判定部に出力する。良否判定部は、入力した測定値に基づいてコンデンサの特性値（容量値および絶縁抵抗値）を計算すると共にこの特性値を用いてコンデンサの良否を判定し、不良品と判定されたコンデンサは不良品排出部によって外部に排出させ、良品と判定されたコンデンサは良品取出部によって基材テープ上へ取り出させる。
【先行技術文献】
【特許文献】
【０００４】
【特許文献１】特開平１０−３１１８５３号公報（第５頁、第３図）
【発明の概要】
【発明が解決しようとする課題】
【０００５】
ところで、上記の特性選別装置では、良否判定部がインピーダンス測定部による１回の測定によって得られた測定値に基づいてコンデンサの良否判定を行う構成が採用されている。このため、この特性選別装置には、ノイズなどの影響を受けてインピーダンス測定部が正しい測定値を測定できないときには、良否判定部がコンデンサの良否判定を正しく行えず、不良品を良品として判定するという問題が存在する。この問題を解決するために、コンデンサの良否判定を実行する構成を２系統（インピーダンス測定部および良否判定部を２系統）用意して、コンデンサの良否をダブルでチェック（二重チェック）することも考えられる。
【０００６】
しかしながら、インピーダンス測定部および良否判定部を２系統設ける構成には、次のような解決すべき課題が存在する。すなわち、測定値に基づいてコンデンサの良否を判定する場合には、通常、測定値と比較するためのしきい値を予め良否判定部に対して設定することになるが、上記の二重チェックを行う構成においては、各良否判定部に対するしきい値の設定作業を個別に手作業で実施する必要があるため、各良否判定部のうちの少なくとも一方に対して誤ったしきい値を設定する虞があり、この場合には、二重チェックが行えないという新たな解決すべき課題が発生する。
【０００７】
本発明は、かかる課題を解決すべくなされたものであり、検査対象体に対して確実に二重チェック以上のチェックを実行可能な良否判別装置を構成し得る検査装置、およびこの検査装置を複数備えた良否判別装置を提供することを主目的とする。
【課題を解決するための手段】
【０００８】
上記目的を達成すべく請求項１記載の検査装置は、検査対象体に対して予め決められた物理量を測定する測定処理、および当該測定した物理量を予め設定された判別用基準値と比較して当該検査対象体の良否を検査する検査処理を実行する検査装置であって、当該検査装置に設定されている前記判別用基準値と他の同種の検査装置に設定されている前記判別用基準値とを比較して当該両判別用基準値が一致していないときに、当該両判別用基準値が一致していないとの表示、および少なくとも当該両検査装置のいずれかにおいて当該判別用基準値の設定に誤りがあるとの表示のいずれかを比較の結果として表示部に表示させる比較処理を実行する。
【０００９】
また、請求項２記載の検査装置は、請求項１記載の検査装置において、前記判別用基準値が設定されたときに前記他の同種の検査装置に当該設定後の判別用基準値を送信し、当該他の同種の検査装置から前記判別用基準値を受信したときに前記比較処理を実行する。
【００１０】
また、請求項３記載の検査装置は、請求項１記載の検査装置において、前記判別用基準値が設定されたときに前記他の同種の検査装置に当該設定後の判別用基準値を送信すると共に、当該他の同種の検査装置から前記判別用基準値を受信したときに当該受信した判別用基準値を記憶し、外部装置から比較開始信号を入力したときに前記比較処理を実行する。
【００１１】
また、請求項４記載の検査装置は、請求項１記載の検査装置において、外部装置から比較開始信号を入力したときに、当該各検査装置の前記判別用基準値を前記他の同種の検査装置に送信すると共に、当該他の同種の検査装置から前記判別用基準値を受信して、前記比較処理を実行する。
【００１２】
上記目的を達成すべく請求項５記載の良否判別装置は、同一の検査対象体に対して同一の物理量を測定する測定処理、および当該測定した物理量を予め設定された共通の判別用基準値と比較して当該検査対象体の良否を検査する検査処理をそれぞれ実行する複数の検査装置と、当該複数の検査装置による前記検査処理での検査結果に基づいて前記検査対象体の最終的な良否を決定する良否決定処理を実行する処理装置とを備えた良否判別装置であって、前記複数の検査装置は、当該各検査装置に設定されている前記判別用基準値と他の前記検査装置に設定されている前記判別用基準値とを比較して当該両判別用基準値が一致していないときに、当該両判別用基準値が一致していないとの表示、および少なくとも当該両検査装置のいずれかにおいて当該判別用基準値の設定に誤りがあるとの表示のいずれかを比較の結果として表示部に表示させる比較処理をそれぞれ実行する。
【００１３】
また、請求項６記載の良否判別装置は、請求項５記載の良否判別装置において、前記各検査装置は、当該各検査装置の前記判別用基準値が設定されたときに前記他の検査装置に当該設定後の判別用基準値を送信し、当該他の検査装置から前記判別用基準値を受信したときに前記比較処理を実行する。
【００１４】
また、請求項７記載の良否判別装置は、請求項５記載の良否判別装置において、前記各検査装置は、当該各検査装置の前記判別用基準値が設定されたときに前記他の検査装置に当該設定後の判別用基準値を送信すると共に、当該他の検査装置から前記判別用基準値を受信したときに当該受信した判別用基準値を記憶し、前記処理装置から比較開始信号を入力したときに前記比較処理を実行する。
【００１５】
また、請求項８記載の良否判別装置は、請求項５記載の良否判別装置において、前記各検査装置は、前記処理装置から比較開始信号を入力したときに、当該各検査装置の前記判別用基準値を前記他の検査装置に送信すると共に、当該他の検査装置から前記判別用基準値を受信して、前記比較処理を実行する。
【発明の効果】
【００１６】
請求項１記載の検査装置および請求項５記載の良否判別装置では、検査装置が、その検査装置自身に設定されている前記判別用基準値と他の同種の検査装置に設定されている判別用基準値とを比較して、その比較の結果を出力する比較処理を実行する。したがって、この検査装置およびこの良否判定装置によれば、複数個を使用して、検査対象体に対するマルチチェック（検査装置が２台の場合には二重チェック）を実行する際に、オペレータは、各検査装置が出力する比較処理の結果に基づいて、各検査装置に対して正しく判別用基準値を設定したか否かを認識することができ、各判別用基準値が相違しているときには各検査装置に対して判別用基準値を再設定することにより、各検査装置に対して同一の判別用基準値を確実に設定することができる。言い換えれば、各検査装置に異なる判別用基準値が設定される事態を確実に回避することができる。これにより、各検査装置による検査対象体に対するマルチチェック（検査装置が２台の場合には二重チェック）を確実に実行することができる。
【００１７】
また、請求項２記載の検査装置および請求項６記載の良否判別装置では、各検査装置が、各検査装置の判別用基準値が設定されたときに、他の検査装置に設定後の判別用基準値を送信し、他の検査装置から判別用基準値を受信したときに比較処理を実行する。したがって、この検査装置およびこの良否判別装置によれば、各検査装置のいずれか一方から、各検査装置の判別用基準値が一致しているか否かの最新の比較処理の結果が常に出力される。このため、オペレータは、この比較結果に基づいて、各検査装置の判別用基準値が相違しているときには、各検査装置に対して判別用基準値を確実に再設定することができ、この結果、各検査装置に対して同一の判別用基準値を確実に設定することができる。
【００１８】
また、請求項３記載の検査装置および請求項７記載の良否判別装置では、各検査装置の判別用基準値が設定されたときに他の検査装置に設定後の判別用基準値を送信すると共に、他の検査装置から判別用基準値を受信したときにこの受信した判別用基準値を記憶し、外部装置（処理装置）から比較開始信号を入力したときに比較処理を実行する。したがって、この検査装置およびこの良否判別装置によれば、各検査装置に対する判別用基準値の設定を待つことなく、比較開始信号を各検査装置に対して入力することで、各検査装置に現時点で設定されている判別用基準値が一致しているか否かを確認することができる。このため、一旦設定された各検査装置の判別用基準値のうちの一方が、オペレータの設定操作以外の何らかの要因（ノイズなどの影響）によって変更された場合においても、これを表示部に表示させることができ、オペレータに対して判別用基準値の再設定の必要性を認識させることができる。
【００１９】
また、請求項４記載の検査装置および請求項８記載の良否判別装置では、各検査装置は、外部装置（処理装置）から比較開始信号を入力したときに、各検査装置の判別用基準値を他の検査装置に送信すると共に、他の検査装置から判別用基準値を受信して、比較処理を実行する。したがって、この良否判別装置によれば、各検査装置間での判別用基準値の授受（送信・受信）の頻度を、外部装置（処理装置）において制御することができるため、各検査装置における判別用基準値の授受に要する負荷を最適な状態に設定することができる。
【図面の簡単な説明】
【００２０】
【図１】良否判別装置１の構成図である。
【図２】良否判別装置１の各検査装置４，５についての構成図である。
【発明を実施するための形態】
【００２１】
以下、良否判別装置１の実施の形態について、添付図面を参照して説明する。
【００２２】
最初に、良否判別装置１の構成について、図面を参照して説明する。なお、本例では一例として、検査対象体としてコンデンサを例に挙げて説明する。
【００２３】
良否判別装置１は、一例として、図１に示すように、コンデンサ（検査対象体）２を搬送する搬送装置３、複数（一例として２つ）の検査装置４，５、処理装置６、選別装置７、不良品回収箱８および良品回収箱９を備えている。搬送装置３は、一例としてベルトコンベアを含んで構成されて、処理装置６によって制御されることで、投入されたコンデンサ２を間欠的に搬送する。具体的には、搬送装置３は、処理装置６から制御信号Ｓ１を入力する都度、コンデンサ２を予め決められた距離ずつ搬送することで、第１測定ステージＳＴ１、第２測定ステージＳＴ２および選別ステージＳＴ３を経由して良品回収箱９までコンデンサ２を搬送する。
【００２４】
検査装置４，５は、コンデンサ２に対して予め決められた（同一）の物理量（本例では電気的パラメータ（一例として静電容量値Ｃ））をそれぞれ測定する測定処理と、測定した物理量とそれぞれに予め設定された（同一、言い換えれば共通）の判別用基準値Ｃｒ（本例では上限容量値Ｃｍａｘおよび下限容量値Ｃｍｉｎ）とを比較して、コンデンサ２の良否（測定された静電容量値Ｃが上限容量値Ｃｍａｘから下限容量値Ｃｍｉｎまでの範囲内にあるときには良品であり、この範囲外のときには不良品）を検査する検査処理とをそれぞれ実行する。検査装置４，５は、異なる構成であってもよいが、本例では一例として図２に示すように、同一の構成要素を備えて同一に構成されている。したがって、検査装置４を例に挙げて、その構成について説明する。
【００２５】
検査装置４は、図２に示すように、測定部１１、操作部１２、通信部１３、制御部１４、記憶部１５および表示部１６を備えている。測定部１１は、搬送装置３によって第１測定ステージＳＴ１に搬送されたコンデンサ２に対して一対のプローブＰ１，Ｐ２を介して電気的に接続される。また、測定部１１は、一対のプローブＰ１，Ｐ２を介して第１測定ステージＳＴ１のコンデンサ２に測定用の電圧信号（交流信号）を印加すると共に、このときにコンデンサ２に流れる電流信号を一対のプローブＰ１，Ｐ２を介して測定することにより、印加した電圧信号と測定した電流信号とに基づいてコンデンサ２の静電容量値Ｃを算出して制御部１４に出力する。操作部１２は、テンキーおよびエンターキーなどの各種キーを備えて構成されて、各種キーがオペレータによって操作されて設定された判別用基準値Ｃｒ（上限容量値Ｃｍａｘおよび下限容量値Ｃｍｉｎで構成される）を制御部１４に出力する機能を備えている。この操作部１２から入力された判別用基準値Ｃｒは、自らが使用する基準値であり、以下では「判別用基準値Ｃｒａ」ともいう。また、後述するように通信部１３を介して他の検査装置から入力した判別用基準値Ｃｒについては、以下では「判別用基準値Ｃｒｂ」ともいう。
【００２６】
通信部１３は、処理装置６と接続されて、処理装置６から開始信号Ｓ２を入力（受信）して制御部１４に出力すると共に、制御部１４から入力した検査結果Ｄｄを処理装置６に出力（送信）する。また、通信部１３は、他の検査装置（この例では検査装置５）の通信部１３にも接続されて、他の検査装置にオペレータによって設定された判別用基準値Ｃｒ（判別用基準値Ｃｒｂ）を入力（受信）して制御部１４に出力すると共に、制御部１４から入力した自らの判別用基準値Ｃｒ（判別用基準値Ｃｒａ）を他の検査装置（検査装置５）に出力（送信）する。
【００２７】
制御部１４は、ＣＰＵなどで構成されて、操作部１２から判別用基準値Ｃｒａを入力したときには、基準値送信処理を実行する。この基準値送信処理では、制御部１４は、入力した判別用基準値Ｃｒａを記憶部１５に記憶させる（既に判別用基準値Ｃｒａが記憶されているときには変更（更新）する）と共に、通信部１３に出力して他の検査装置４に出力（送信）させる。また、制御部１４は、通信部１３から他の検査装置の判別用基準値Ｃｒｂを入力したときには、比較処理を実行する。この比較処理では、制御部１４は、入力した判別用基準値Ｃｒｂと記憶部１５に記憶されている判別用基準値Ｃｒａとを比較して、比較の結果を表示部１６に表示させる。一例として、制御部１４は、両判別用基準値Ｃｒａ，Ｃｒｂが一致しているときには判別用基準値が正常に設定されている旨を、また両判別用基準値Ｃｒａ，Ｃｒｂが相違しているときには少なくともいずれかの良否判別装置１における判別用基準値の設定に誤りがある旨を表示部１６に表示させる。また、制御部１４は、通信部１３から開始信号Ｓ２を入力したときには、検査処理を実行する。この検査処理では、制御部１４は、測定部１１に対してコンデンサ２の静電容量値Ｃを測定させて、この静電容量値Ｃを取得すると共に、この静電容量値Ｃを記憶部１５に記憶されている（設定されている）判別用基準値Ｃｒ（判別用基準値Ｃｒａ）と比較してコンデンサ２の良否を検査し、その検査の結果（検査結果Ｄｄ）を通信部１３に出力して処理装置６に出力（送信）させる。記憶部１５は、ＲＡＭなどを備えて構成されて、判別用基準値Ｃｒａを記憶する。表示部１６は、一例としてＬＣＤ（液晶ディスプレイ）を備えて構成されて、制御部１４から入力した比較処理の結果を表示する。
【００２８】
検査装置５は、図２に示すように、測定部１１、操作部１２、通信部１３、制御部１４、記憶部１５および表示部１６を備えて、検査装置４と同一に構成されている。なお、検査装置５の測定部１１が、搬送装置３によって第２測定ステージＳＴ２（一例として第１測定ステージＳＴ１の下流側）に搬送されたコンデンサ２に対して一対のプローブＰ１，Ｐ２を介して電気的に接続されて、第２測定ステージＳＴ２においてコンデンサ２の静電容量値Ｃを算出する点において、検査装置５は検査装置４と相違する。
【００２９】
処理装置６は、コンピュータを備えて構成されて、搬送装置３、各検査装置４，５および選別装置７に対する制御を実行する。具体的には、処理装置６は、搬送装置３に対して制御信号Ｓ１を周期的に出力することにより、搬送装置３によってコンデンサ２を間欠的に搬送させる。また、処理装置６は、各検査装置４，５に対して開始信号（スタート信号）Ｓ２を出力することにより、検査処理を実行させる。また、処理装置６は、各検査装置４，５からそれぞれの検査結果Ｄｄを入力する都度、この検査結果Ｄｄを内部記憶部（図示せず）に記憶する。また、処理装置６は、制御信号Ｓ１を出力する都度、選別ステージＳＴ３に位置しているコンデンサ２を特定すると共に、この特定したコンデンサ２についての各検査装置４，５による検査結果Ｄｄを内部記憶部から読み出して、良否決定処理を実行する。この良否決定処理では、処理装置６は、検査装置４，５による各検査結果Ｄｄが共に良品である旨の結果であるときには、コンデンサ２は最終的に良品であると決定し、各検査結果Ｄｄの少なくとも一方が不良品である旨の結果であるときには、コンデンサ２は最終的に不良品であると決定する。また、処理装置６は、コンデンサ２が不良品であると決定したときには、選別装置７に制御信号Ｓ３を出力して制御することにより、コンデンサ２を不良品回収箱８内に搬出させる。したがって、処理装置６により、良品であると決定されたコンデンサ２については、搬送装置３によって選別ステージＳＴ３を経由して良品回収箱９まで搬送されて、良品回収箱９内に搬出される。
【００３０】
選別装置７は、処理装置６から制御信号Ｓ３を入力したときには、選別ステージＳＴ３に位置しているコンデンサ２を搬送装置３のコンベア上から不良品回収箱８内に搬出する。この場合、選別ステージＳＴ３は、コンデンサ２の搬送経路における第２測定ステージＳＴ２よりも下流側で、かつ良品回収箱９の手前側の任意の位置に配設されている。
【００３１】
次に、良否判別装置１の動作について説明する。
【００３２】
まず、コンデンサ２の良否を判別する前処理として、オペレータは、各検査装置４，５に対して判別用基準値Ｃｒをそれぞれ設定する。具体的には、オペレータは、各検査装置４，５の操作部１２を操作することにより、判別用基準値Ｃｒａ（上限容量値Ｃｍａｘおよび下限容量値Ｃｍｉｎ）を制御部１４に入力する。この場合、検査装置４，５の各制御部１４は、基準値送信処理を実行して、入力した判別用基準値Ｃｒａを記憶部１５に記憶させると共に、通信部１３に出力して他の検査装置４に出力（送信）させる。これにより、各検査装置４，５は、互いに、他の検査装置から、この他の検査装置に設定された判別用基準値Ｃｒｂをそれぞれ入力する。
【００３３】
一例として、オペレータが検査装置４，５の順に判別用基準値Ｃｒを設定したときには、最初に検査装置４が基準値送信処理を実行して、検査装置４側の判別用基準値Ｃｒａ（以下では、検査装置４に設定された判別用基準値Ｃｒを「判別用基準値Ｃｒ４」ともいう）を検査装置５に出力する。このため、検査装置５がこの判別用基準値Ｃｒａを判別用基準値Ｃｒｂとして入力して、最初に比較処理を実行する。この比較処理においては、検査装置５に対して未だ正しい判別用基準値Ｃｒａ（以下では、検査装置５に設定された判別用基準値Ｃｒを「判別用基準値Ｃｒ５」ともいう）が設定されておらず、判別用基準値Ｃｒａが記憶されるべき記憶領域には初期値（または以前に設定された判別用基準値Ｃｒａ）が記憶されているため、検査装置５の制御部１４は、自らの判別用基準値Ｃｒａ（判別用基準値Ｃｒ５）と判別用基準値Ｃｒｂ（判別用基準値Ｃｒ４）とが一致していない旨の比較結果を表示部１６に表示させる。
【００３４】
次いで、オペレータが検査装置５に判別用基準値Ｃｒを設定したときには、検査装置５が基準値送信処理を実行して、検査装置５側の判別用基準値Ｃｒａ（判別用基準値Ｃｒ５）を検査装置４に出力する。このため、検査装置４がこの判別用基準値Ｃｒａを判別用基準値Ｃｒｂとして入力して、比較処理を実行する。この比較処理においては、検査装置４に対して既に正しい判別用基準値Ｃｒａ（判別用基準値Ｃｒ４）が設定されているため、検査装置４の制御部１４は、自らの判別用基準値Ｃｒａ（判別用基準値Ｃｒ４）と検査装置５側の判別用基準値Ｃｒｂ（判別用基準値Ｃｒ５）とを比較して、両判別用基準値Ｃｒが一致する旨の比較結果を表示部１６に表示させる。したがって、オペレータは、両検査装置４，５に対して同じ判別用基準値Ｃｒの設定を完了した時点で、最初に判別用基準値Ｃｒを設定した検査装置４側の表示部１６に表示されている比較処理の結果を確認することで、両判別用基準値Ｃｒが一致する旨の比較結果が表示されているときには、各検査装置４，５に対して正しく判別用基準値Ｃｒを設定したことを認識することができる。一方、検査装置４側の表示部１６に、両判別用基準値Ｃｒが一致していない旨の比較結果が表示されているときには、オペレータは、各検査装置４，５のいずれかに対して、誤った判別用基準値Ｃｒを設定したことを認識することができ、各検査装置４，５に対して判別用基準値Ｃｒを再設定することにより、各検査装置４，５に対して同一の判別用基準値Ｃｒを確実に設定することが可能となる。
【００３５】
このようにして、各検査装置４，５に同一の判別用基準値Ｃｒが設定された状態において、良否判別装置１はコンデンサ２の検査を実行する。具体的には、良否判別装置１では、処理装置６が、搬送装置３に対する制御信号Ｓ１の周期的な出力を開始する。これにより、搬送装置３が、投入されたコンデンサ２の搬送を開始させる。また、処理装置６は、搬送装置３によってコンデンサ２が予め決められた距離だけ搬送された後、処理装置６が次の制御信号Ｓ１を出力するまでの規定時間内（コンデンサ２の搬送が停止されている時間内）において、各検査装置４，５に開始信号Ｓ２を出力することにより、各検査装置４，５に対して検査処理を実行させる。これにより、検査装置４は、第１測定ステージＳＴ１に位置しているコンデンサ２の静電容量値Ｃを測定し、かつこの静電容量値Ｃと記憶部１５に記憶されている判別用基準値Ｃｒａ（判別用基準値Ｃｒ４）と比較してコンデンサ２の良否を検査して、その検査の結果（検査結果Ｄｄ）を処理装置６に出力（送信）する。また、検査装置５は、第２測定ステージＳＴ２に位置しているコンデンサ２の静電容量値Ｃを測定し、かつこの静電容量値Ｃと記憶部１５に記憶されている判別用基準値Ｃｒａ（判別用基準値Ｃｒ５）と比較してコンデンサ２の良否を検査して、その検査の結果（検査結果Ｄｄ）を処理装置６に出力（送信）する。また、処理装置６は、このようにして検査処理を実行させた各検査装置４，５から出力される各検査結果Ｄｄを入力して、内部記憶部（図示せず）に記憶する。
【００３６】
また、処理装置６は、制御信号Ｓ１を出力する都度（開始信号Ｓ２を出力する都度でもある）、選別ステージＳＴ３に位置しているコンデンサ２を特定すると共に、このコンデンサ２についての各検査装置４，５による検査結果Ｄｄを内部記憶部から読み出して、良否決定処理を実行する。処理装置６は、この良否決定処理により、検査装置４，５による各検査結果Ｄｄが共に良品であり、このコンデンサ２を最終的に良品であると決定したときには、選別装置７に対する制御信号Ｓ３の出力を実行しない。一方、処理装置６は、検査装置４，５による各検査結果Ｄｄの少なくとも一方が不良品であり、このコンデンサ２を最終的に不良品であると決定したときには、選別装置７に対する制御信号Ｓ３の出力を実行する。これにより、選別ステージＳＴ３に位置しているコンデンサ２が不良品である場合にのみ、コンデンサ２が不良品回収箱８に搬出される。したがって、選別ステージＳＴ３に位置している良品のコンデンサ２は、引き続き搬送装置３によって搬送されて、良品回収箱９内に搬出される。このようにして、良否判別装置１は、搬送装置３に投入されたコンデンサ２についての良否を決定して、不良品回収箱８と良品回収箱９とに分別して収容する。
【００３７】
このように、この良否判別装置１では、同一のコンデンサ２に対して同一の物理量（本例では静電容量値Ｃ）を測定すると共に予め設定された共通の判別用基準値Ｃｒａと比較してコンデンサ２の良否を検査する２つの検査装置４，５が、自ら（その各検査装置４，５）に設定されている判別用基準値Ｃｒａと他の検査装置に設定されている判別用基準値Ｃｒｂとを比較して、その比較の結果を出力する（本例では表示部１６に表示させる）比較処理をそれぞれ実行する。したがって、この検査装置４，５、およびこの良否判別装置１によれば、オペレータは、各検査装置４，５の表示部１６に表示される比較処理の結果に基づいて、各検査装置４，５に対して正しく判別用基準値Ｃｒを設定したか否かを認識することができ、両判別用基準値Ｃｒａ，Ｃｒｂが相違しているときには各検査装置４，５に対して判別用基準値Ｃｒを再設定することにより、各検査装置４，５に対して同一の判別用基準値Ｃｒを確実に設定することができる。言い換えれば、各検査装置４，５に異なる判別用基準値Ｃｒが設定される事態を確実に回避することができる。これにより、この良否判別装置１によれば、各検査装置４，５によるコンデンサ２に対する二重チェック（ダブルチェック）を確実に実行することができる。
【００３８】
また、この良否判別装置１では、各検査装置４，５が、自らの判別用基準値Ｃｒａが設定されたとき（既に設定されているときには変更（更新）されたとき）に、他の検査装置に設定後の判別用基準値Ｃｒａを送信し、他の検査装置から判別用基準値Ｃｒｂを受信したときに上記の比較処理を実行する。このため、各検査装置４，５のうちの一方の検査装置に判別用基準値Ｃｒａが設定されたときには、他方の検査装置が、この判別用基準値Ｃｒａを判別用基準値Ｃｒｂとして受信して、既に設定されている自らの判別用基準値Ｃｒａとの比較処理を実行して、その比較処理の結果をその表示部１６に表示させる。したがって、この検査装置４，５、およびこの良否判別装置１によれば、各検査装置４，５のいずれか一方の表示部１６に、各検査装置４，５の判別用基準値Ｃｒａが一致しているか否かの最新の比較処理の結果が常に表示される。このため、オペレータは、各検査装置４，５に対して判別用基準値Ｃｒを確実に再設定することができ、この結果、各検査装置４，５に対して同一の判別用基準値Ｃｒを確実に設定することができる。
【００３９】
なお、上記の良否判別装置１では、各検査装置４，５が、他の検査装置から判別用基準値Ｃｒｂを受信したときに比較処理を実行する構成を採用しているが、自らの判別用基準値Ｃｒａが設定されたときに、他の検査装置に設定後の判別用基準値Ｃｒａを送信すると共に、他の検査装置からの新たな判別用基準値Ｃｒｂの受信を待たずに、既に受信している判別用基準値Ｃｒｂとの比較処理を実行する構成を採用することもできる。この構成によれば、他の検査装置から判別用基準値Ｃｒｂを受信した検査装置だけでなく、自らの判別用基準値Ｃｒａが設定された検査装置の表示部１６にも比較処理の結果が表示されるため、各検査装置４，５に対してより確実に同一の判別用基準値Ｃｒを設定することができ、コンデンサ２に対する二重チェック（ダブルチェック）をより確実に実行することができる。
【００４０】
また、上記の例では、検査装置４，５に対して判別用基準値Ｃｒａが設定されるタイミングで、判別用基準値Ｃｒａ，Ｃｒｂの比較処理を実行しているが、他のタイミングで各検査装置４，５が比較処理を実行する構成を採用することもできる。一例として、各検査装置４，５は、自らの判別用基準値Ｃｒａが設定されたときに他の検査装置に設定後の判別用基準値Ｃｒａを送信すると共に、他の検査装置から判別用基準値Ｃｒｂを受信したときにこの受信した判別用基準値Ｃｒｂを記憶しておき、処理装置６から開始信号Ｓ２を入力したときに検査処理と共に、比較処理を実行する構成（開始信号Ｓ２を比較処理を実行するための比較開始信号として使用する構成）を採用することもできる。この構成によれば、各検査装置４，５に対する判別用基準値Ｃｒの設定を待つことなく、各検査装置４，５における開始信号Ｓ２の入力の度に比較処理が実行されるため、この比較処理の実行頻度が高められる。この結果、オペレータの設定操作以外の何らかの要因により、各検査装置４，５に設定されている判別用基準値Ｃｒが変更されて、互いの判別用基準値Ｃｒが相違した場合にも、相違している旨を検査装置４，５の少なくとも一方の表示部１６に表示させることができる。したがって、オペレータによる誤操作以外の要因によって検査装置４，５の各判別用基準値Ｃｒが相違している場合であっても、これをオペレータが認識して判別用基準値Ｃｒの再設定を実行することができる結果、コンデンサ２に対する二重チェック（ダブルチェック）の実行の確実性を向上させることができる。なお、開始信号Ｓ２を比較開始信号（比較処理を開始させるための信号）として利用する構成について説明したが、開始信号Ｓ２とは異なるタイミング（独立したタイミング）で、処理装置６から各検査装置４，５に対して比較処理を開始させる専用の比較開始信号を出力させる構成を採用してもよいのは勿論である。この構成によれば、オペレータの設定操作以外の何らかの要因によって判別用基準値Ｃｒが不一致の状態になっていることを検出可能としつつ、開始信号Ｓ２の頻度よりも少ない頻度で比較処理を実行させることで、各検査装置４，５での比較処理の実行に伴う負荷を低減させることができる。
【００４１】
また、上記の例では、検査装置４，５が自らの判別用基準値Ｃｒａの設定時に他の検査装置に対して直ちにこの判別用基準値Ｃｒａを出力する構成を採用しているが、各検査装置４，５が、処理装置６から比較開始信号（開始信号Ｓ２をこの比較開始信号として使用することもできる）を入力したときに、自らの判別用基準値Ｃｒａを他の検査装置に送信すると共に、他の検査装置から判別用基準値Ｃｒｂを受信して比較処理を実行する構成を採用することもできる。この構成によれば、検査装置４と検査装置５との間での判別用基準値Ｃｒの授受（送信・受信）の頻度を、処理装置６において制御することができるため、検査装置４，５における判別用基準値Ｃｒの授受に要する負荷を最適な状態に設定することができる。
【００４２】
なお、検査対象体の一例として、コンデンサ２を例に挙げて説明したが、抵抗、インダクタ、半導体素子など種々の電子部品や、電子部品が実装された電子機器の良否判別に良否判別装置１を適用できるのは勿論である。また、上記の例では、各検査装置４，５において、比較処理の結果を装置内の表示部１６に表示させる構成を採用したが、通信部１３を介して外部に出力する構成を採用して、装置外部に設置された表示装置、印刷装置および記憶装置に出力する構成を採用することもできる。また、２台の検査装置４，５を用いて良否判別装置１を構成した例を挙げて説明したが、検査装置を３台以上に増やして、トリプルチェック以上のマルチチェックで良否を判別する良否判別装置を構成することもできる。
【００４３】
また、各検査装置４，５に設定する判別用基準値Ｃｒ（上限容量値Ｃｍａｘおよび下限容量値Ｃｍｉｎ）を同一とした例について上記したが、例えば、各検査装置４，５において測定処理で測定される物理量のばらつきを考慮して、検査装置４，５に設定する各判別用基準値Ｃｒ（上限容量値Ｃｍａｘおよび下限容量値Ｃｍｉｎ）に差を持たせる場合がある。この場合には、この各判別用基準値Ｃｒの差（各上限容量値Ｃｍａｘの差および各下限容量値Ｃｍｉｎの差）に対する許容範囲を予め規定しておき、各検査装置４，５が上記の比較処理において各判別用基準値Ｃｒの差とこの許容範囲とを比較して、この差が許容範囲内であれば、各検査装置４，５に設定された判別用基準値Ｃｒは一致し、許容範囲外であれば、一致しないと判別して、その比較結果を表示部１６に表示させる構成を採用することもできる。
【００４４】
また、物理量（上記の例では静電容量値Ｃ）に対する判別用基準値として、静電容量値Ｃに対する上限容量値Ｃｍａｘおよび下限容量値Ｃｍｉｎそのものを判別用基準値Ｃｒとして規定した例について上記したが、例えば、判別用基準値として、予め測定処理で測定しておいた物理量（静電容量値Ｃ）の標準値、この標準値に対する上限相対値（例えば、１．０％）、およびその標準値に対する下限相対値（例えば、−１．０％）を規定する構成を採用することもできる。この構成においては、各検査装置４，５は、標準値に上限相対値を乗算して得られた値を標準値に加算したものを上記した上限容量値Ｃｍａｘとして使用し、標準値に下限相対値を乗算して得られた値を標準値に加算した値を上記した下限容量値Ｃｍｉｎとして使用して、上記の検査処理を実行する。
【００４５】
この場合、各検査装置４，５に対して同一の標準値、同一の上限相対値および同一の下限相対値を設定する構成を採用したり、標準値、上限相対値および下限相対値のうちのいずれか１つ以上の電気的パラメータについて、予め規定された許容範囲内で異なる値を設定可能とする構成を採用することもできる。この各構成のうちの前者を採用したときには、各検査装置４，５は、上記の比較処理において、標準値、上限相対値および下限相対値がそれぞれ一致するか否かを判別して、各比較結果を表示部１６に表示させる。一方、この各構成のうちの後者を採用したときには、各検査装置４，５は、比較処理において、標準値、上限相対値および下限相対値のうちの許容範囲内で異なる値を設定可能とされた電気的パラメータについては、予め規定された許容範囲内であるか否かを判別し、他の電気的パラメータについては他の検査装置に設定されたものと一致するか否かを判別する。
【００４６】
また、各検査装置４，５が処理装置６から比較開始信号としての開始信号Ｓ２を入力したときに自らの判別用基準値Ｃｒａを他の検査装置に送信すると共に他の検査装置から判別用基準値Ｃｒｂを受信して比較処理を実行する上記の構成や、上記では説明していないが、各検査装置４，５が比較処理に際して他の検査装置（相手の検査装置）に対して判別用基準値の送信を要求する構成においては、各検査装置４，５が正常であり、かつ、各検査装置４，５間の伝送路（例えば、各検査装置４，５間の接続ケーブル）が正常（接続ケーブル自体が正常で、かつ接続ケーブルの各検査装置４，５への接続が正常）である場合には、前者の構成では、比較開始信号としての開始信号Ｓ２の入力（または、自らの判別用基準値Ｃｒａの他の検査装置への送信）後、後者の構成では、送信要求後、ある程度短時間の間に、他の検査装置から判別用基準値Ｃｒｂを受信することになる。このため、各検査装置４，５が予め決められた設定時間内に他の検査装置から判別用基準値Ｃｒｂを受信しないときには、他の検査装置に異常が発生しているか、または相互間の伝送路に異常が発生している可能性があることから、このような場合に各検査装置４，５がその旨を表示部１６に表示させる構成を採用することもできる。この構成を採用することにより、他の検査装置の異常、接続ケーブル自体の異常、および接続ケーブルと各検査装置との接続状態の異常のいずれかの発生を確認することもできる。
【符号の説明】
【００４７】
１  良否判別装置
２  コンデンサ
４，５  検査装置
６  処理装置
Ｃ  静電容量値
Ｃｒ，Ｃｒａ，Ｃｒｂ  判別用基準値
【図１】
0005507165.tif 000002
【図２】
0005507165.tif 000003